(57)【要約】【課題】  複数の印刷対象データに同一の印刷条件を設定するための操作回数を低減する印刷設定方法、印刷設定装置、プリンタ及び印刷設定プログラムを提供する。【解決手段】  印刷条件の指定を受け付け、受け付けた前記印刷条件を事前設定条件として設定する事前設定段階と、前記事前設定段階で前記事前設定条件が設定された後に印刷対象データ群の指定を受け付けるデータ群指定段階と、前記データ群指定段階で指定された前記印刷対象データ群を構成する各印刷対象データに同一の前記事前設定条件を設定する設定段階と、を含むことを特徴とする印刷設定方法。【選択図】    図１
2006252146.tif 000002
【特許請求の範囲】
【請求項１】
印刷条件の指定を受け付け、受け付けた前記印刷条件を事前設定条件として設定する事前設定段階と、
前記事前設定段階で前記事前設定条件が設定された後に印刷対象データ群の指定を受け付けるデータ群指定段階と、
前記データ群指定段階で指定された前記印刷対象データ群を構成する各印刷対象データに同一の前記事前設定条件を設定する設定段階と、
を含むことを特徴とする印刷設定方法。
【請求項２】
前記設定段階で各前記印刷対象データに設定された前記事前設定条件と各前記印刷対象データのパスとをＤＰＯＦファイルに格納するＤＰＯＦ設定段階を更に含むことを特徴とする請求項１に記載の印刷設定方法。
【請求項３】
前記データ群指定段階で前記印刷対象データ群の指定を受け付けている途中で印刷条件の指定を受け付け、受け付けた前記印刷条件で前記事前設定条件を変更する設定変更段階を更に含み、
前記設定段階は、前記設定変更段階で前記事前設定条件が変更される前に指定された印刷対象データ群には変更前の前記事前設定条件を設定し、変更された後に指定された印刷対象データ群には変更後の前記事前設定条件を設定することを特徴とする請求項１又は２に記載の印刷設定方法。
【請求項４】
各前記印刷対象データに設定された前記事前設定条件を個別に変更する個別変更段階を更に含むことを特徴とする請求項１、２又は３に記載の印刷設定方法。
【請求項５】
前記データ群指定段階において、データに対応するオブジェクトを画面に表示し、表示した前記オブジェクトの指定を受け付けることで前記印刷対象データ群を構成する前記印刷対象データの指定を受け付け、
前記印刷対象データに設定されている前記事前設定条件を前記印刷対象データに対応する前記オブジェクトに対応付けて前記画面に表示する設定条件表示段階を更に含むことを特徴とする請求項１〜４のいずれか一項に記載の印刷設定方法。
【請求項６】
前記印刷条件は、印刷部数であることを特徴とする請求項１〜５のいずれか一項に記載の印刷設定方法。
【請求項７】
印刷条件の指定を受け付け、受け付けた前記印刷条件を事前設定条件として設定する事前設定手段と、
前記事前設定手段で前記事前設定条件が設定された後に印刷対象データ群の指定を受け付けるデータ群指定手段と、
前記データ群指定手段で指定された前記印刷対象データ群を構成する各印刷対象データに同一の前記事前設定条件を設定する設定手段と、
を備えることを特徴とする印刷設定装置。
【請求項８】
請求項７に記載の印刷設定装置と、
前記印刷設定装置で設定された前記事前設定条件に基づいて前記印刷対象データを印刷する印刷手段と、
を備えることを特徴とするプリンタ。
【請求項９】
印刷条件の指定を受け付け、受け付けた前記印刷条件を事前設定条件として設定する事前設定手段と、
前記事前設定手段で前記事前設定条件が設定された後に印刷対象データ群の指定を受け付けるデータ群指定手段と、
前記データ群指定手段で指定された前記印刷対象データ群を構成する各印刷対象データに同一の前記事前設定条件を設定する設定手段としてコンピュータを機能させることを特徴とする印刷設定プログラム。
【発明の詳細な説明】
【技術分野】
【０００１】
本発明は、印刷設定方法、印刷設定装置、プリンタ及び印刷設定プログラムに関する。
【背景技術】
【０００２】
従来の印刷条件の設定方法では、ユーザは印刷対象データを指定し、次に当該印刷対象データの印刷部数を指定するという２つの操作を行っている。印刷対象データが複数ある場合は、ユーザは上述した２つの操作を印刷対象データの数だけ繰り返している。
従来の印刷条件の設定方法によると、複数の印刷対象データを同一部数印刷させる場合、印刷部数が同一であるにもかかわらずユーザは印刷対象データの数だけ印刷部数の指定を繰り返さなければならない。このためユーザは操作回数が増え、設定に手間がかかるという問題がある。
【発明の開示】
【発明が解決しようとする課題】
【０００３】
本発明は、上記問題に鑑みて創作されたものであって、複数の印刷対象データに同一の印刷条件を設定するための操作回数を低減する印刷設定方法、印刷設定装置、プリンタ及び印刷設定プログラムを提供することを目的とする。
【課題を解決するための手段】
【０００４】
上記目的を達成するため、本発明に係る印刷設定方法は、印刷条件の指定を受け付け、受け付けた前記印刷条件を事前設定条件として設定する事前設定段階と、前記事前設定段階で前記事前設定条件が設定された後に印刷対象データ群の指定を受け付けるデータ群指定段階と、前記データ群指定段階で指定された前記印刷対象データ群を構成する各印刷対象データに同一の前記事前設定条件を設定する設定段階と、を含む。本発明によると、印刷対象データ群に事前設定段階で指定された同一の印刷条件が設定されるので、印刷対象データがいくつあってもユーザは印刷条件の指定を一度だけ行えばよい。このため、複数の印刷対象データを同一の印刷条件で印刷させる場合、ユーザは同一の印刷条件の設定を印刷対象データの数だけ繰り返す必要がなく、操作回数が低減される。よって本発明によると、複数の印刷対象データに同一の印刷条件を設定するための操作回数を低減できる。
【０００５】
さらに本発明に係る印刷設定方法では、前記設定段階で各前記印刷対象データに設定された前記事前設定条件と各前記印刷対象データのパスとをＤＰＯＦファイルに格納するＤＰＯＦ設定段階を更に含む。本発明によると、印刷を実行する手段を備えない装置でも印刷対象データの指定と印刷条件の指定とが行える。
【０００６】
さらに本発明に係る印刷設定方法では、前記データ群指定段階で前記印刷対象データ群の指定を受け付けている途中で印刷条件の指定を受け付け、受け付けた前記印刷条件で前記事前設定条件を変更する設定変更段階を更に含み、前記設定段階は、前記設定変更段階で前記事前設定条件が変更される前に指定された印刷対象データ群には変更前の前記事前設定条件を設定し、変更された後に指定された印刷対象データ群には変更後の前記事前設定条件を設定する。
【０００７】
さらに本発明に係る印刷設定方法では、各前記印刷対象データに設定された前記事前設定条件を個別に変更する個別変更段階を更に含む。本発明によると、各印刷対象データに設定された事前設定条件を、設定後に個別に変更できる。
【０００８】
さらに本発明に係る印刷設定方法では、前記データ群指定段階において、データに対応するオブジェクトを画面に表示し、表示した前記オブジェクトの指定を受け付けることで前記印刷対象データ群を構成する前記印刷対象データの指定を受け付け、前記印刷対象データに設定されている前記事前設定条件を前記印刷対象データに対応する前記オブジェクトに対応付けて前記画面に表示する設定条件表示段階を更に含む。本発明によると、どのデータを印刷対象データとして指定したかを確認できる上、当該オブジェクトに対応する印刷対象データに設定されている事前設定条件を容易に確認できる。
【０００９】
さらに本発明に係る印刷設定方法では、前記印刷条件は、印刷部数である。本発明によると、複数の印刷対象データに同一の印刷部数を設定するための操作回数を低減できる。
【００１０】
上記目的を達成するため、本発明に係る印刷設定装置は、印刷条件の指定を受け付け、受け付けた前記印刷条件を事前設定条件として設定する事前設定手段と、前記事前設定手段で前記事前設定条件が設定された後に印刷対象データ群の指定を受け付けるデータ群指定手段と、前記データ群指定手段で指定された前記印刷対象データ群を構成する各印刷対象データに同一の前記事前設定条件を設定する設定手段と、を備える。本発明によると、複数の印刷対象データに同一の印刷条件を設定するための操作回数を低減できる。
【００１１】
上記目的を達成するため、本発明に係るプリンタは、請求項７に記載の印刷設定装置と、前記印刷設定装置で設定された前記事前設定条件に基づいて前記印刷対象データを印刷する印刷手段と、を備える。本発明によると、複数の印刷対象データに同一の印刷条件を設定するための操作回数を低減できる。
【００１２】
上記目的を達成するため、本発明に係る印刷設定プログラムは、印刷条件の指定を受け付け、受け付けた前記印刷条件を事前設定条件として設定する事前設定手段と、前記事前設定手段で前記事前設定条件が設定された後に印刷対象データ群の指定を受け付けるデータ群指定手段と、前記データ群指定手段で指定された前記印刷対象データ群を構成する各印刷対象データに同一の前記事前設定条件を設定する設定手段としてコンピュータを機能させる。本発明によると、複数の印刷対象データに同一の印刷条件を設定するための操作回数を低減できる。
【００１３】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１４】
以下、本発明の実施の形態を複数の実施例に基づいて説明する。
（第一実施例）
図２は、本発明の第一実施例に係る印刷設定装置としてのディジタルスチルカメラ（ＤＳＣ）１のハードウェア構成を示すブロック図である。
光学系１０は、レンズ１０ａ、絞り１０ｂ等で構成されている。光学系１０はイメージセンサ１１の受光面に被写体の光学像を結像させる。
【００１５】
イメージセンサ１１は、２次元空間に離散的に配置された受光セルとＣＣＤ（Charge Coupled Device）などの電荷転送素子とを備えたエリアイメージセンサである。イメージセンサ１１は光学系１０により結像される光学像を光電変換して得られる電荷を受光セル毎に一定時間蓄積し、受光セル毎の受光量に応じた電気信号を出力する。受光面にＣ（Cyan）、Ｍ（Magenta）、Ｙ（Yellow）及びＧ（Green）の４色の補色フィルタ、又はＲ（Red）、Ｇ（Green）及びＢ（Blue）の原色フィルタを設けることによりカラー画像を形成することが可能になる。イメージセンサ１１の露光量は、絞り１０ｂのＦ値や光学系１０とイメージセンサ１１の間に設けられる図示しないメカニカルシャッタの開放時間とで決定される。尚、イメージセンサ１１の露光時間はイメージセンサ１１の電荷蓄積時間自体を電気的に制御することによって調整してもよい。
【００１６】
アナログフロントエンド（ＡＦＥ）部１２は、イメージセンサ１１から出力される電気信号を量子化してディジタル信号に変換する。ＡＦＥ部１２は、具体的には例えば、出力される電気信号に含まれる雑音の低減処理、ゲインの調整による電気信号のレベル調整処理、量子化処理等を行う。
ディジタル画像処理部１３は、ＡＦＥ部１２から出力されたディジタル信号に対し、画像形成処理、ホワイトバランス補正、γ補正、色空間変換等を施し、各画素についてＲ、Ｇ、Ｂの階調値や、Ｙ、Ｃｂ、Ｃｒの階調値などを表す画像データを作成する。また、ディジタル画像処理部１３は画像データを縮小し、縮小された画像（以下「縮小画像」という。）を出力する。縮小画像の画像サイズは制御部１９によって設定される。例えば、画像データをＬＣＤ１８ａ（図５参照）の画面に表示する場合、ＬＣＤ１８ａの画面サイズまで画像データを縮小して表示する。もちろん、これ以外のサイズに縮小することも可能である。生成された縮小画像は、元の画像データとともに外部記憶部１４によってリムーバブルメモリ１５にＥＸＩＦ（Ｅｘｃｈａｎｇｅａｂｌｅ  Ｉｍａｇｅ  Ｆｉｌｅ  Ｆｏｒｍａｔ）形式のファイル（以下「ＥＸＩＦファイル」という。）に格納されて出力される。なお、画像データを縮小する処理は、ＣＰＵ１９ａにおいて実行されるプログラムにより実行されてもよい。
【００１７】
事前設定手段、データ群指定手段、設定変更手段、個別変更手段および設定条件表示手段としての表示部１８は、ディスプレイコントローラ、ＬＣＤ１８ａなどを備える。表示部１８は制御部１９によって制御され、撮像モードでは電子ビューファインダとして機能し、再生モードでは撮影された画像データを表示するモニタとして機能する。また、表示部１８は、印刷条件を指定したり印刷対象データを指定したりするための各種の画面を表示する。
【００１８】
ＤＰＯＦ設定手段としての外部記憶部１４は、リムーバブルメモリ１５が挿入されるカードスロット、カードスロットに挿入されたリムーバブルメモリ１５が脱着自在に接続される接続端子、メモリコントローラなどを備える。外部記憶部１４は制御部１９によって制御され、ＤＰＯＦファイルやＥＸＩＦファイルをリムーバブルメモリ１５に書き込む処理やリムーバブルメモリ１５からＥＸＩＦファイルを読み込む処理などを行う。リムーバブルメモリ１５は電源が切れても記憶内容が失われないフラッシュメモリなどのような不揮発性メモリである。
【００１９】
事前設定手段、データ群指定手段、設定変更手段、および個別変更手段としての操作部１７は、撮像モードや再生モードなどのモードを設定するスイッチ、シャッタボタン、ＬＣＤ１８ａに表示される各種のメニューを操作するための十字キー１７ａ（図５参照）、メニューの表示項目に応じて機能が変化する押しボタン１７ｂ及び１７ｃ（図５参照）などを備える。
【００２０】
インタフェース（Ｉ／Ｆ）部１６は、ＵＳＢ、Ｂｌｕｅｔｏｏｔｈなどの通信規格に準拠して構成され、通信ケーブルを介してプリンタなどに接続される。
制御部１９は、ＣＰＵ１９ａ、フラッシュメモリ１９ｃ、及びＲＡＭ１９ｂを備える。ＣＰＵ１９ａはフラッシュメモリ１９ｃに記憶されているコンピュータプログラムを実行することによりＤＳＣ１の全体を制御する。また、ＣＰＵ１９ａはフラッシュメモリ１９ｃに記憶されている印刷設定プログラムを実行することで事前設定手段、データ群指定手段、設定手段、ＤＰＯＦ設定手段、個別変更手段、設定変更手段および設定条件表示手段としても機能する。フラッシュメモリ１９ｃは、各種のプログラムやデータなどを記憶するメモリであり、ＲＡＭ１９ｂは各種のプログラムやデータを一時的に記憶するメモリである。これら各種のプログラムやデータは所定のサーバからネットワークを介してダウンロードして入力してもよいし、リムーバブルメモリ１５等のコンピュータ読み取り可能な記憶媒体から読み出して入力してもよい。
【００２１】
次に、ＤＰＯＦファイルについて説明する。
図３は、ＤＰＯＦファイルのファイル構造を示す模式図である。ＤＰＯＦファイルは、事前設定データを記録するファイルフォーマットの一つとして規格化されたフォーマットである。ＤＰＯＦをサポートすると、印刷手段を備えないディジタルカメラにおいて印刷対象データとする画像ファイル（ＥＸＩＦファイル）の指定や印刷部数の指定などが可能である。ＤＰＯＦファイルの一つである自動プリントファイル（ＡＵＴＯＰＲＩＮＴ．ＭＲＫ）は、ヘッダ部［ＨＤＲ］、及び一つ以上のジョブ記述部［ＪＯＢ］から構成される。ヘッダ部［ＨＤＲ］にはＤＰＯＦのバージョン情報などが記録される。ジョブ記述部［ＪＯＢ］は画像ファイル毎に作成される。ジョブ記述部［ＪＯＢ］には印刷部数、画像ファイルのパス、ＤＰＯＦで規定されている他の情報などが記録される。印刷時には自動プリントファイルからパスと印刷部数とを読み込むことで、印刷対象データや印刷部数の設定が不要になる。
【００２２】
次に、印刷設定プログラムについて説明する。
図４は、印刷設定プログラムの論理的な構成を示すブロック図である。
事前設定モジュール３１は、制御部１９を事前設定手段および設定変更手段として機能させるモジュールである。事前設定モジュール３１は、図５（Ａ）に示す事前設定画面４１を表示部１８に表示する。事前設定画面４１において印刷部数欄４１ａは印刷部数を指定するための入力フィールドである。ユーザは操作部１７を操作して印刷部数欄４１ａに印刷部数に応じた数字を入力し、［ＯＫ］ボタン１７ｃを押下することで印刷部数を指定する。［ＯＫ］ボタン１７ｃが押下されると、事前設定モジュール３１は指定された印刷部数をＲＡＭ１９ｂに記憶する。これにより印刷部数が事前設定条件として事前設定される。また、事前設定モジュール３１は、データ群指定モジュール３２が印刷対象データ群の指定を受け付けている途中で実行されると、既に設定されている事前設定条件を、指定された印刷部数で上書きする。この結果、事前設定条件が変更される。
【００２３】
データ群指定モジュール３２は、制御部１９をデータ群指定手段、個別変更手段および設定条件表示手段として機能させるモジュールである。データ群指定モジュール３２は、具体的には例えば図５（Ｂ）に示すデータ群指定画面４２を表示して印刷対象データの指定を受け付ける。データ群指定画面４２にはリムーバブルメモリ１５に記録されている各ＥＸＩＦファイルに格納されている縮小画像が、ＥＸＩＦファイルの名前順、あるいは撮像日時順などの所定の順で一画像ずつ表示される。縮小画像は特許請求の範囲に記載の「オブジェクト」に相当する。ユーザは十字キー１７ａの右端、左端を押下することにより、表示される縮小画像を変更することができる。例えば右端が押下されると、データ群指定モジュール３２は次のＥＸＩＦファイルに格納されている縮小画像を表示する。同様に左端が押下されたときは前のＥＸＩＦファイルに格納されている縮小画像を表示する。これによりユーザは目的の縮小画像を表示させることができる。データ群指定モジュール３２は、縮小画像を表示している状態でユーザにより［ＯＫ］ボタン１７ｃが押下されると、そのとき表示している縮小画像を格納しているＥＸＩＦファイルを印刷対象データとして受け付ける。具体的には、データ群指定モジュール３２は、［ＯＫ］ボタン１７ｃが押下されると当該ＥＸＩＦファイルのパスと事前設定条件として設定されている印刷部数とを関連付けて設定モジュール３３に出力する。設定モジュール３３にパスと印刷部数とを出力すると当該ＥＸＩＦファイルに当該印刷部数が設定される。データ群指定モジュール３２は、印刷部数が設定されると、当該縮小画像を格納しているＥＸＩＦファイルに設定された印刷部数を当該縮小画像の右上に表示する。右上の印刷部数の表示は、印刷対象データとして指定されたＥＸＩＦファイルに格納されている縮小画像が表示されるとそれに伴って表示される。例えば十字キー１７ａの右端を押下して縮小画面を遡って表示させると、印刷対象データに指定されたＥＸＩＦファイルに対応する縮小画像には右上に当該ＥＸＩＦファイルに設定されている印刷部数が表示される。これによりユーザは後でどのＥＸＩＦファイルを印刷対象データに指定したかを印刷部数の表示の有無によって確認することができる上、設定した印刷部数を確認することができる。
【００２４】
また、右上の印刷部数は、十字キー１７ａの上端、及び下端を押下することによって増減することができる。データ群指定モジュール３２は、印刷部数が増減されると、表示中の縮小画像を格納しているＥＸＩＦファイルのパスと、増減された印刷部数とを関連付けて設定モジュール３３に出力する。なお、本実施例では縮小画像を一つずつ順に表示する場合を例に説明するが、表示方法はこれに限られるものではなく、例えば縮小画像を一覧表示してもよい。
【００２５】
設定モジュール３３は、制御部１９を設定手段および設定変更手段として機能させるモジュールであって、印刷対象データ群を構成する各印刷対象データに同一の印刷部数を設定するモジュールである。設定モジュール３３は、データ群指定モジュール３２からＥＸＩＦファイルのパスと事前設定条件として設定されている印刷部数とが出力されると、当該パスと印刷部数とを関連付けてＲＡＭ１９ｂに記憶する。すなわち、第一実施例において「印刷対象データに事前設定条件を設定する」とは、ＥＸＩＦファイルのパスと当該パスに関連付けられている印刷部数とを関連付けてＲＡＭ１９ｂに記憶することをいう。データ群指定画面４２で縮小画像を表示して［ＯＫ］ボタン１７ｃを押下すると、当該縮小画像を格納しているＥＸＩＦファイルに、事前設定されている印刷部数が設定される。従って、複数のＥＸＩＦファイルを同一部数印刷する場合であってもユーザは印刷部数を設定する操作を一度だけ行えばよく、各ＥＸＩＦファイルに同一の印刷条件を設定するための操作回数を低減できる。また、設定モジュール３３は、ＥＸＩＦファイルのパスと、増減された印刷部数とが出力されると、当該パスに関連付けてＲＡＭ１９ｂに記憶した印刷部数を、増減された印刷部数で更新する。
【００２６】
ＤＰＯＦ設定モジュール３４は、制御部１９をＤＰＯＦ設定手段として機能させるモジュールである。ＤＰＯＦ設定モジュール３４は、データ群指定画面４２で所定の操作が行われると、またはデータ群指定画面４２から［キャンセル］ボタン１７ｂで戻った後の事前設定画面４１で［ＯＫ］ボタン１７ｃが押下されると、設定モジュール３３がＲＡＭ１９ｂに記憶させた各ＥＸＩＦファイルのパスについて、当該パス、当該パスに関連付けられてＲＡＭ１９ｂに記憶されている印刷部数、及びＤＰＯＦで規定されている他の情報からなる一つのジョブ記述部［ＪＯＢ］をＤＰＯＦファイルに一括して書き込む。
【００２７】
次に、印刷設定の処理の流れについて説明する。
図６は印刷設定の処理の流れを示すフローチャートであり、図１は印刷設定における画面遷移図である。
事前設定段階および設定変更段階としてのＳ１０５では、制御部１９は事前設定画面４１を表示し、事前設定条件としての印刷部数の指定を受け付ける。
【００２８】
Ｓ１１０では、既に事前設定条件が設定されているか否かを判定する。既に設定されていればＳ１１５に進み、設定されていなければＳ１２０に進む。Ｓ１１０を初めて実行する場合はまだ設定されていないのでＳ１２０に進む。
ＤＰＯＦ設定段階としてのＳ１１５の処理の説明は後述する。
事前設定段階および設定変更段階としてのＳ１２０では、制御部１９は受け付けた印刷部数を事前設定条件としてＲＡＭ１９ｂに記憶する。
【００２９】
データ群指定段階としてのＳ１２５では、制御部１９はデータ群指定画面４２を表示し、印刷対象データの指定を受け付ける。ユーザは前述したように十字キー１７ａを操作し、印刷したいＥＸＩＦファイルに格納されている縮小画像を表示させ、［ＯＫ］ボタン１７ｃを押下する。
【００３０】
設定段階、個別変更段階および設定条件表示段階としてのＳ１３０では、制御部１９は当該縮小画像を格納しているＥＸＩＦファイルのパスと事前設定されている印刷部数とを関連付けてＲＡＭ１９ｂに記憶するとともに、縮小画像上の右上に印刷部数を表示する。ユーザは［ＯＫ］ボタン１７ｃを押下した後に当該ＥＸＩＦファイルの印刷部数を変更したい場合は、十字キー１７ａの上端、又は下端を押下して印刷部数を変更し、［ＯＫ］ボタン１７ｃを押下する。［ＯＫ］ボタン１７ｃが押下されると、制御部１９は、当該ＥＸＩＦファイルに設定されている印刷部数を十字キー１７ａの押下に応じた印刷部数に変更する。
【００３１】
Ｓ１３５では、制御部１９はユーザの操作を判定する。ユーザは処理を終了したければ処理を終了するための所定の操作を行い、また、次あるいは前の縮小画像を表示させたければ十字キー１７ａの右端、左端を押下する。事前設定条件を変更したい場合は［キャンセル］ボタン１７ｂを押下する。制御部１９は、終了を指示する操作が行われた場合はＳ１４０に進む。十字キー１７ａの右端、左端が押下された場合はＳ１２５に戻る。［キャンセル］ボタン１７ｂが押下された場合はＳ１０５に戻る。
【００３２】
ここでＳ１１５の処理について説明する。［キャンセル］ボタン１７ｂが押下されてＳ１０５に戻り、戻ったＳ１０５において事前設定画面４１で［ＯＫ］ボタン１７ｃが押下されると、制御部１９は既に事前設定条件が設定されているのでＳ１１０で事前設定条件の変更と判定し、Ｓ１１５に進む。Ｓ１１５では、制御部１９はリムーバブルメモリ１５にＤＰＯＦファイルを生成する。次に、制御部１９はＲＡＭ１９ｂに記憶されている各ＥＸＩＦファイルのパスについてジョブ記述部［ＪＯＢ］をＤＰＯＦファイルに一括して書き込む。なお、既にＤＰＯＦファイルが生成済みであり、そのＤＰＯＦファイルに既に同じパスが存在する場合は、上書きで書き込むものとする。次に制御部１９は、Ｓ１２０、Ｓ１２５に進んでデータ群指定画面４２に戻る。戻った後のデータ群指定画面４２には［キャンセル］ボタン１７ｂが押下されたときに表示していた縮小画像を表示してもよいし、最初の縮小画像に戻って表示してもよい。
【００３３】
ＤＰＯＦ設定段階としてのＳ１４０では、制御部１９は、リムーバブルメモリ１５にＤＰＯＦファイルを生成する。なお、Ｓ１１５で既にＤＰＯＦファイルを生成していれば生成は不要である。次に、制御部１９は、ＲＡＭ１９ｂに記憶されている各ＥＸＩＦファイルのパスについて、当該パス、当該パスに関連付けられてＲＡＭ１９ｂに記憶されている印刷部数、及びＤＰＯＦで規定されている他の情報からなるジョブ記述部［ＪＯＢ］をＤＰＯＦファイルに一括して書き込む。
【００３４】
次に、上述した処理の結果について説明する。
図７は、上述した処理を実行した後のＤＰＯＦファイルの一例を示す模式図である。図示する例は、印刷部数に３を事前設定して２つのＥＸＩＦファイルを指定し、その後にデータ群指定画面４２で［キャンセル］ボタン１７ｂを押下して事前設定画面４１に戻り、印刷部数を１に変更して３つのＥＸＩＦファイルを指定した例である。図示するように、事前設定画面４１で印刷部数を指定された一つ以上のＥＸＩＦファイル（印刷対象データ群）、あるいは印刷部数を変更した後に指定された一つ以上のＥＸＩＦファイル（印刷対象データ群）には、同一の印刷部数が設定される。
【００３５】
以上説明した本発明の一実施例にかかるＤＳＣ１によると、事前設定段階としてのＳ１０５で印刷部数を指定すると、印刷対象データ群にＳ１０５で指定された同一の印刷部数が設定されるので、印刷対象データがいくつあってもユーザは印刷部数の指定を一度だけ行えばよい。このため、複数の印刷対象データを同一の印刷部数分印刷させる場合であっても、ユーザは同一の印刷部数の設定を印刷対象データの数だけ繰り返す必要がなく、ユーザは複数の印刷対象データに同一の印刷部数を設定するための操作回数を低減できる。
【００３６】
なお、本実施例ではジョブ記述部［ＪＯＢ］を一括して書き込んでいるが、ＥＸＩＦファイルが指定される毎、すなわちデータ群指定画面４２で［ＯＫ］ボタン１７ｃが押下される毎に書き込んでもよい。
また、本実施例では印刷設定装置としてディジタルカメラを例に説明したが、印刷設定装置は、画像ビューア、複合機、パーソナルコンピュータなどでもよい。
【００３７】
また、本実施例では印刷部数とＥＸＩＦファイルのパスとをＤＰＯＦファイルに格納する場合を例に説明したが、必ずしもＤＰＯＦファイルに格納する必要はない。例えば印刷設定装置としてのパーソナルコンピュータ（ＰＣ）をプリンタに接続し、データ群指定画面４２で［ＯＫ］ボタン１７ｃが押下されたら、ＰＣはそのとき表示している縮小画像に対応するＥＸＩＦファイルに格納されている画像データに基づいて印刷データを生成し、プリンタを制御して当該印刷データを印刷部数分印刷させてもよい。
【００３８】
また、本実施例ではＥＸＩＦファイルを印刷対象データとして指定する場合を例に説明したが、印刷対象データは他のフォーマットの画像データでもよいし、画像データ以外のデータであってもよい。
また、本実施例では、事前設定条件を変更すると変更後の事前設定条件は変更後に指定されたＥＸＩＦファイルにしか設定されないが、変更前に印刷対象データとして指定され、変更前の事前設定条件が既に設定されているＥＸＩＦファイルの事前設定条件を、変更後の事前設定条件で一括して更新するようにしてもよい。
【００３９】
（第二実施例）
図８（Ａ）は、本発明の第二実施例に係るプリンタ２の外観を示す斜視図である。プリンタ２はパーソナルコンピュータ等による制御を必要とせず、画像データを単独で印刷可能な所謂スタンドアロン型プリンタである。図示するようにプリンタ２のハウジング５１には操作部５２、ＬＣＤ５３、カードスロット５４などが設けられている。
【００４０】
事前設定手段、データ群指定手段、設定変更手段、および個別変更手段としての操作部５２は、［決定］ボタン、［キャンセル］ボタン、［印刷］ボタンなどの各種の操作ボタンを備えている。
図８（Ｂ）は、プリンタ２のハードウェア構成を示すブロック図である。
事前設定手段、データ群指定手段、設定変更手段、個別変更手段および設定条件表示手段としての表示部５５は、ディスプレイコントローラ、ＬＣＤ５３などを備える。表示部５５は制御部５６によって制御され、印刷条件や印刷対象データを指定するための画面などを表示する。ＬＣＤ５３の画面には種々の設定を行うためのメニューが表示され、表示されたメニューは上述した各種の操作ボタンによって操作される。
【００４１】
設定手段としての外部記憶部５７は、リムーバブルメモリ５８が挿入されるカードスロット５４、カードスロット５４に挿入されたリムーバブルメモリ５８が脱着自在に接続される接続端子、メモリコントローラなどを備える。
印刷手段としての画像処理部５９は、外部記憶部５７で読み込まれワークメモリ５６ｃに記憶された画像データに基づいて印刷データを作成するＡＳＩＣである。画像処理部５９は、具体的には例えばＪＰＥＧ規格で圧縮されている画像データの伸張、伸張された画像データの色空間の変換、ガンマ補正、カラーバランス調整、シャープネス調整、コントラスト調整、画像データの解像度を印刷解像度に変換する解像度変換、画像データを２値化する２値化処理、２値化された画像データをプリンタエンジンに転送すべき順序に並べ替えて印刷データを生成するインターレース処理などを制御部５６と協働して実行する。尚、これらの処理を制御部５６と画像処理部５９とのいずれで行うかは適宜選択し得る設計事項である。
【００４２】
印刷手段としてのプリンタエンジン６０は、画像処理部５９で生成された印刷データに基づいて紙等の印刷媒体に画像を印刷する。プリンタエンジン６０は印字ヘッドを搭載するキャリッジ、キャリッジを往復移動させる駆動機構、印刷媒体を搬送する搬送機構などで構成され、それらは制御部５６によって制御される。キャリッジには印字ヘッドの他に印字ヘッドが吐出するインクを蓄える複数のインクタンクが色毎に搭載されている。尚、プリンタエンジン６０は例えばレーザ方式やドットインパクト方式で画像を印刷するものであってもよい。
【００４３】
制御部５６は、ＣＰＵ５６ａ、フラッシュメモリ５６ｂ、及びワークメモリ５６ｃを備える。ＣＰＵ５６ａはフラッシュメモリ５６ｂに記憶されているプログラムを実行してプリンタ２の全体を制御する。また、ＣＰＵ５６ａはフラッシュメモリ５６ｂに記憶されている印刷設定プログラムを実行することで事前設定手段、データ群指定手段、設定手段、ＤＰＯＦ設定手段、個別変更手段、設定変更手段および設定条件表示手段としても機能する。フラッシュメモリ５６ｂは各種のプログラムやデータを記憶しているメモリであり、ワークメモリ５６ｃは各種のプログラムやデータを一時的に記憶するメモリである。これら各種のプログラムやデータは所定のサーバからネットワークを介してダウンロードして入力してもよいし、リムーバブルメモリ５８等のコンピュータ読み取り可能な記憶媒体から読み出して入力してもよい。
【００４４】
次に、第二実施例の印刷部数設定画面について説明する。
図９は、第二実施例の印刷部数設定画面７０を示す模式図である。図示するように印刷部数設定画面７０には、「印刷部数」に加えて「用紙サイズ」、「用紙種類」、「印刷品質」も指定できる。「印刷部数」、「用紙サイズ」、「用紙種類」および「印刷品質」は、特許請求の範囲に記載の印刷条件に相当する。
【００４５】
次に、プリンタ２の作動について説明する。
プリンタ２は、印刷部数設定画面７０で所定の操作、具体的には例えば［印刷］ボタンが押下されると、ＤＰＯＦファイルにジョブ記述部［ＪＯＢ］を一括して書き込むのではなく、ワークメモリ５６ｃに記憶されているパスで特定される各ＥＸＩＦファイルを、当該ＥＸＩＦファイルに設定されている事前設定条件に基づいて印刷する。
【００４６】
第二実施例はその他の点において第一実施例と実質的に同一である。
【図面の簡単な説明】
【００４７】
【図１】本発明の第一実施例に係る画面遷移図。
【図２】本発明の第一実施例に係る印刷設定装置のブロック図。
【図３】ＤＰＯＦファイルのファイル構造を示す模式図。
【図４】本発明の第一実施例に係る印刷設定プログラムのブロック図。
【図５】（Ａ）及び（Ｂ）は本発明の第一実施例に係る画面の模式図。
【図６】本発明の第一実施例に係るフローチャート。
【図７】本発明の第一実施例に係る処理の実行後のＤＰＯＦファイルの模式図。
【図８】（Ａ）は本発明の第二実施例に係るプリンタの斜視図、（Ｂ）はそのブロック図。
【図９】本発明の第二実施例に係る画面の模式図。
【符号の説明】
【００４８】
１  ディジタルスチルカメラ（印刷設定装置）、２  プリンタ、１４  外部記憶部（設定手段）、１７  操作部（事前設定手段、データ群指定手段）、１８  表示部（事前設定手段、データ群指定手段）、１９  制御部（事前設定手段、データ群指定手段、設定手段）、５２  操作部（事前設定手段、データ群指定手段）、５５  表示部（事前設定手段、データ群指定手段）、５６  制御部（事前設定手段、データ群指定手段、設定手段）、５７  外部記憶部（ＤＰＯＦ設定手段）、５９  画像処理部（印刷手段）、６０  プリンタエンジン（印刷手段）
【図１】
2006252146.tif 000003
【図２】
2006252146.tif 000004
【図３】
2006252146.tif 000005
【図４】
2006252146.tif 000006
【図５】
2006252146.tif 000007
【図６】
2006252146.tif 000008
【図７】
2006252146.tif 000009
【図８】
2006252146.tif 000010
【図９】
2006252146.tif 000011